【手続補正書】
【提出日】令和3年1月25日(2021.1.25)
【手続補正１】
【補正対象書類名】特許請求の範囲
【補正対象項目名】全文
【補正方法】変更
【補正の内容】
【特許請求の範囲】
【請求項１】
回転可能に配置され、搬送路内のトナーを搬送する搬送コイルであって、前記搬送コイルの回転軸線の周りに螺旋状に巻かれたコイル部と、前記コイル部から前記回転軸線の回転軸線方向に沿って延設された延設部と、前記搬送コイルの回転軸線周りに形成され、前記搬送コイルの一端側の端部を係止するための係止部と、前記延設部から前記搬送コイルの径方向外側に向かって曲げられて前記搬送コイルの径方向に延設され、前記延設部及び前記係止部を連結する連結部と、を有する前記搬送コイルと、
前記搬送路に回転不能に設けられ、前記搬送コイルの前記一端側の端部が他端側へ移動しようとした際に、前記係止部と係止して前記係止部が前記他端側へ移動することを規制する規制部材と、を備え、
前記規制部材は、前記延設部を通すための空間部と、前記搬送コイルの径方向に開放された開放部と、を有し、
前記延設部は、前記開放部を通じて前記空間部に配置可能であり、
前記連結部は、前記延設部と接続される第１端部と、前記係止部と接続される第２端部とを有し、
前記第１端部は、前記搬送コイルの前記回転軸線方向において、前記第２端部よりも前記他端側に配置され、
前記規制部材が前記係止部と係止する領域は、前記他端側に向かうほど前記回転軸線との間隔が縮小する縮小領域を有する、
ことを特徴とするトナー搬送装置。
【請求項２】
前記連結部と前記延設部とのなす角度θ１は、９０°＜θ１を満たす、
ことを特徴とする請求項１に記載のトナー搬送装置。
【請求項３】
前記連結部と前記搬送コイルの回転軸線に直交する平面とのなす角φ１は、前記係止部が前記規制部材と係止したときの係止位置における前記規制部材と前記平面とのなす角φ２よりも小さい、
ことを特徴とする請求項１又は２に記載のトナー搬送装置。
【請求項４】
回転可能に配置され、搬送路内のトナーを搬送する搬送コイルであって、前記搬送コイルの回転軸線の周りに螺旋状に巻かれたコイル部と、前記コイル部から前記回転軸線の回転軸線方向に沿って延設された延設部と、前記搬送コイルの回転軸線周りに形成され、前記搬送コイルの一端側の端部を係止するための係止部と、前記延設部から前記搬送コイルの径方向外側に向かって曲げられて前記搬送コイルの径方向に延設され、前記延設部及び前記係止部を連結する連結部と、を有する前記搬送コイルと、
前記搬送路に回転不能に設けられ、前記搬送コイルの前記一端側の端部が他端側へ移動しようとした際に、前記係止部と係止して前記係止部が前記他端側へ移動することを規制する規制部材と、を備え、
前記規制部材は、前記延設部を通すための空間部と、前記搬送コイルの径方向に開放された開放部と、を有し、
前記延設部は、前記開放部を通じて前記空間部に配置可能であり、
前記連結部は、前記延設部と接続される第１端部と、前記係止部と接続される第２端部とを有し、
前記連結部と前記搬送コイルの回転軸線に直交する平面とのなす角φ１は、前記係止部が前記規制部材と係止したときの係止位置における前記規制部材と前記平面とのなす角φ２よりも小さい、
ことを特徴とするトナー搬送装置。
【請求項５】
前記角φ１は、０°＜φ１＜９０°を満たす、
ことを特徴とする請求項３又は４に記載のトナー搬送装置。
【請求項６】
前記角φ２は、０°＜φ２＜９０°を満たす、
ことを特徴とする請求項３乃至５のいずれか１項に記載のトナー搬送装置。
【請求項７】
前記規制部材が前記係止部と係止する領域は、前記搬送コイルの回転方向に関して、前記開放部を除いて周方向に連続する円錐台形状である、
ことを特徴とする請求項１乃至６のいずれか１項に記載のトナー搬送装置。
【請求項８】
前記係止部は、円環形状である、
ことを特徴とする請求項１乃至７のいずれか１項に記載のトナー搬送装置。
【請求項９】
前記空間部の内径は、前記係止部の最大外径より小さい、
ことを特徴とする請求項１乃至８のいずれか１項に記載のトナー搬送装置。
【請求項１０】
前記規制部材が前記係止部と係止する領域は、前記搬送コイルの回転軸線に直交する直交面に対して面対称に形成されている、
ことを特徴とする請求項１乃至９のいずれか１項に記載のトナー搬送装置。
【請求項１１】
前記搬送コイルは、１本のワイヤにより形成されている、
ことを特徴とする請求項１乃至１０のいずれか１項に記載のトナー搬送装置。
【請求項１２】
トナー像を担持して移動する像担持体と、
前記像担持体上のトナーを除去する清掃部材と、
前記清掃部材により除去したトナーを搬送する請求項１乃至１１のいずれか１項に記載のトナー搬送装置と、を備える、
ことを特徴とする像担持体ユニット。
【手続補正２】
【補正対象書類名】明細書
【補正対象項目名】０００７
【補正方法】変更
【補正の内容】
【０００７】
本発明のトナー搬送装置は、回転可能に配置され、搬送路内のトナーを搬送する搬送コイルであって、前記搬送コイルの回転軸線の周りに螺旋状に巻かれたコイル部と、前記コイル部から前記回転軸線の回転軸線方向に沿って延設された延設部と、前記搬送コイルの回転軸線周りに形成され、前記搬送コイルの一端側の端部を係止するための係止部と、前記延設部から前記搬送コイルの径方向外側に向かって曲げられて前記搬送コイルの径方向に延設され、前記延設部及び前記係止部を連結する連結部と、を有する前記搬送コイルと、前記搬送路に回転不能に設けられ、前記搬送コイルの前記一端側の端部が他端側へ移動しようとした際に、前記係止部と係止して前記係止部が前記他端側へ移動することを規制する規制部材と、を備え、前記規制部材は、前記延設部を通すための空間部と、前記搬送コイルの径方向に開放された開放部と、を有し、前記延設部は、前記開放部を通じて前記空間部に配置可能であり、前記連結部は、前記延設部と接続される第１端部と、前記係止部と接続される第２端部とを有し、前記第１端部は、前記搬送コイルの前記回転軸線方向において、前記第２端部よりも前記他端側に配置され、前記規制部材が前記係止部と係止する領域は、前記他端側に向かうほど前記回転軸線との間隔が縮小する縮小領域を有することを特徴とする。
【手続補正３】
【補正対象書類名】明細書
【補正対象項目名】０００８
【補正方法】変更
【補正の内容】
【０００８】
また、本発明のトナー搬送装置は、回転可能に配置され、搬送路内のトナーを搬送する搬送コイルであって、前記搬送コイルの回転軸線の周りに螺旋状に巻かれたコイル部と、前記コイル部から前記回転軸線の回転軸線方向に沿って延設された延設部と、前記搬送コイルの回転軸線周りに形成され、前記搬送コイルの一端側の端部を係止するための係止部と、前記延設部から前記搬送コイルの径方向外側に向かって曲げられて前記搬送コイルの径方向に延設され、前記延設部及び前記係止部を連結する連結部と、を有する前記搬送コイルと、前記搬送路に回転不能に設けられ、前記搬送コイルの前記一端側の端部が他端側へ移動しようとした際に、前記係止部と係止して前記係止部が前記他端側へ移動することを規制する規制部材と、を備え、前記規制部材は、前記延設部を通すための空間部と、前記搬送コイルの径方向に開放された開放部と、を有し、前記延設部は、前記開放部を通じて前記空間部に配置可能であり、前記連結部は、前記延設部と接続される第１端部と、前記係止部と接続される第２端部とを有し、前記連結部と前記搬送コイルの回転軸線に直交する平面とのなす角φ１は、前記係止部が前記規制部材と係止したときの係止位置における前記規制部材と前記平面とのなす角φ２よりも小さいことを特徴とする。